(57)【要約】【課題】本発明は、パンツ型の使用済み紙おむつであっても、処理液に充分に浸漬させることができて使用済み紙おむつを素材ごとに確実に分離することができる使用済み衛生用品の処理装置用分離機を提供する。【解決手段】本発明の使用済み衛生用品の処理装置用分離機３は、内胴分離槽７の内壁７ａに内胴分離槽７内に投入された使用済み衛生用品２を回転によって掻き上げる掻き上げ突起３９を、内胴分離槽７の回転軸方向に沿うとともに内胴分離槽７の回転軸方向に向かって突出して設け、掻き上げ突起３９に、内胴分離槽７内に投入された使用済み衛生用品２を破砕可能な破砕刃部４２を設けた。【選択図】 図３
2020099839.tif 000002
【特許請求の範囲】
【請求項１】
使用済み衛生用品（２）を、衛生用品を構成する複数種の素材に分離するとともに、使用済み衛生用品（２）内の汚物を分離する使用済み衛生用品の処理装置用分離機（３）であって、
筐体（５）と、
この筐体（５）に固定支持された外胴分離槽（６）と、
前記外胴分離槽（６）内に回転可能に配置され外周面に前記外胴分離槽（６）と連通する複数の穴が設けられ内部に使用済み衛生用品が投入される内胴分離槽（７）と、
前記内胴分離槽（７）内に投入された使用済み衛生用品（２）に少なくとも水とカルシウム化合物と殺菌剤とからなる分解水を供給する分解水供給部（８）と、
前記外胴分離槽（６）の下部側と連通され前記外胴分離槽（６）内の前記分解水とともに前記汚物を含む排水を排出する排出部（４）と、を備え、
前記内胴分離槽（７）の内壁（７ｂ）には、前記内胴分離槽（７）内に投入された前記使用済み衛生用品（２）を回転によって掻き上げる掻き上げ突起（３９）が、前記内胴分離槽（７）の回転軸方向に沿うとともに前記内胴分離槽（７）の回転軸方向に向かって突出して設けられ、
前記掻き上げ突起（３９）には、内胴分離槽（７）内に投入された前記使用済み衛生用品（２）を破砕可能な破砕刃部（４２）が設けられていることを特徴とする用済み衛生用品の処理装置用分離機（３）。
【請求項２】
前記掻き上げ突起（３９）は、前記内胴分離槽（７）の内壁（７ｂ）から前記内胴分離槽（７）の回転軸方向に向けて延設された前記内胴分離槽（７）の回転方向前方側の第１の掻き上げ面（４０）と、
前記内胴分離槽（７）の内壁（７ｂ）から前記内胴分離槽（７）の回転軸方向に向けて延設されて前記第１の掻き上げ面（４０）の先端側で連続した前記内胴分離槽（７）の回転方向後方側の第２の掻き上げ面（４１）と、で形成され、
前記破砕刃部（４２）は、少なくとも前記第１の掻き上げ面（４０）に設けられていることを特徴とする請求項１に記載の使用済み衛生用品の処理装置用分離機（３）。
【請求項３】
前記破砕刃部（３９）は、少なくとも前記第１の掻き上げ面（４０）から前記内胴分離槽（７）の回転方向に向けて立ち上がる刃部本体（４３）と、この刃部本体（４３）の前記内胴分離槽（７）の回転方向に向けて形成された複数の刃部（４４）とで形成されていることを特徴とする、請求項２に記載の使用済み衛生用品の処理装置用分離機（３）。
【請求項４】
前記破砕刃部（４２）は、前記第１の掻き上げ面（４０）と前記前記第２の掻き上げ面（４１）にそれぞれ形成され、前記第１の掻き上げ面（４０）と前記第２の掻き上げ面（４１）に形成された前記破砕刃部（４２）は連続して形成されていることを特徴とする請求項２又は請求項３に記載の使用済み衛生用品の処理装置用分離機（３）。
【請求項５】
前記破砕刃部（４２）が、前記掻き上げ突起（３９）に所定の間隔を空けて複数個設けられていることを特徴とする請求項２乃至請求項４のいずれか一項に記載の使用済み衛生用品の処理装置用分離機（３）。
【発明の詳細な説明】
【技術分野】
【０００１】
本発明は、回転する分離槽内で、処理液を供給しながら衛生用品を構成する素材に使用済み衛生用品を分解するとともに殺菌し、分解した素材のうちのパルプとプラスチックを乾燥させて選別する使用済み衛生用品の処理装置用分離機に関する。
【背景技術】
【０００２】
近年、使い捨てのおむつとして紙製のおむつが使用されている。この紙製のおむつは、パルプ等からなる吸収体と、吸収体が吸収した水分を保持する高分子吸収体（高分子ポリマー）と、これらを包む防水材（プラスチック）などの素材から構成されている。また、尿取りパッド等もパルプからなる吸収体と、吸収体が吸収した水分を保持する高分子吸収体（高分子ポリマー）と、これらを包む防水材（プラスチック）などの素材から構成されている。これらの使用した後の使用済み紙おむつや尿取りパッド等の衛生用品は、現状では一般廃棄物として処理（処分）されている。
【０００３】
しかし、これらの使用済み紙おむつや尿取りパッド等の衛生用品をそのまま一般廃棄物として、例えば焼却処分すると有害物質が生成されたり、埋め立て処分すると感染物質等により土壌が悪化する可能性がある。
【０００４】
そこで、衛生的、環境的な観点から、衛生用品を素材ごとに分解して処理する使用済み紙おむつの処理装置が、特許文献１で提案されている。特許文献１で提案されている使用済み紙おむつの処理装置では、回転するドラム内で、使用済み紙おむつを処理液と混合させることで、パルプ、高分子ポリマー、プラスチック等の素材に解体している。
【０００５】
特許文献１では、回転ドラム内に使用済み紙おむつを投入した状態で、所定濃度の処理液を処理室内に所定量供給し、使用済み紙おむつを処理液にドラム内で浸漬させた後にドラムを回転させて使用済み紙おむつを各素材に解体している。このように、回転ドラムを回転させて解体される紙おむつには、展開状態の紙おむつを体に装着した後に体の両側でテープにより連結するいわゆるテープ型のものと、下着のように予めパンツ状に形成したパンツ型とがある。回転ドラム内では、テープ型の紙おむつ、パンツ型の紙おむつが混在した状態で処理液に浸漬され解体される。
【０００６】
また、特許文献１では、回転ドラムの内壁に複数の撹拌突起を設けることにより、使用済み紙おむつを引っ掛けて解体するとともに撹拌している。この撹拌突起は、回転ドラムの軸方向に沿って長尺で、回転ドラムの内壁から周方向に等間隔で複数個形成されている。
【先行技術文献】
【特許文献】
【０００７】
【特許文献１】特許第３５６９２６０号
【発明の概要】
【発明が解決しようとする課題】
【０００８】
しかしながら、テープ型の紙おむつは、既に展開状体となっているので、ドラム内で撹拌突起によって掻き上げて落下させることで処理液に容易にかつ充分に浸漬させることができるが、パンツ型の紙おむつは、撹拌突起によって掻き上げて落下させても展開状態ではないので、パンツ型の紙おむつの内側部分に処理液に充分に浸漬させることができない。
【０００９】
パンツ型の使用済み紙おむつが処理液に充分に浸漬されないと、使用済み紙おむつをドラム内で解体することができず、パンツ型の使用済み紙おむつの状態を保ったままになってしまう。
【００１０】
そこで、本発明は、パンツ型の使用済み紙おむつであっても、処理液を充分に浸漬させることができて使用済み紙おむつを素材ごとに確実に分離することができる使用済み衛生用品の処理装置用分離機の提供を目的とする。
【課題を解決するための手段】
【００１１】
上述した課題を解決し、目的を達成するために、本発明の第１の態様は、使用済み衛生用品を、衛生用品を構成する複数種の素材に分離するとともに、使用済み衛生用品内の汚物を分離する使用済み衛生用品の処理装置用分離機であって、筐体と、この筐体に固定支持された外胴分離槽と、前記外胴分離槽内に回転可能に配置され外周面に前記外胴分離槽と連通する複数の穴が設けられ内部に使用済み衛生用品が投入される内胴分離槽と、前記内胴分離槽内に投入された使用済み衛生用品に少なくとも水とカルシウム化合物と殺菌剤とからなる分解水を供給する分解水供給部と、前記外胴分離槽の下部側と連通され前記外胴分離槽内の前記分解水とともに前記汚物を含む排水を排出する排出部と、を備え、前記内胴分離槽の内壁には、前記内胴分離槽内に投入された前記使用済み衛生用品を回転によって掻き上げる掻き上げ突起が、前記内胴分離槽の回転軸方向に沿うとともに前記内胴分離槽の回転軸方向に向かって突出して設けられ、前記掻き上げ突起には、内胴分離槽内に投入された前記使用済み衛生用品を破砕可能な破砕刃部が設けられていることを特徴とする。
【００１２】
本発明の第２の態様は、前記掻き上げ突起は、前記内胴分離槽の内壁から前記内胴分離槽の回転軸方向に向けて延設された前記内胴分離槽の回転方向前方側の第１の掻き上げ面と、前記内胴分離槽の内壁から前記内胴分離槽の回転軸方向に向けて延設されて前記第１の掻き上げ面の先端側で連続した前記内胴分離槽の回転方向後方側の第２の掻き上げ面と、で形成され、前記破砕刃部は、少なくとも前記第１の掻き上げ面に設けられていることを特徴とする。
【００１３】
本発明の第３の態様は、前記破砕刃部は、少なくとも前記第１の掻き上げ面から前記内胴分離槽の回転方向に向けて立ち上がる刃部本体と、この刃部本体の前記内胴分離槽の回転方向に向けて形成された複数の刃部とで形成されていることを特徴とする。
【００１４】
本発明の第４の態様は、前記破砕刃部は、前記第１の掻き上げ面と前記第２の掻き上げ面にそれぞれ形成され、前記第１の掻き上げ面と前記第２の掻き上げ面に形成された前記破砕刃部は連続して形成されていることを特徴とする。
【００１５】
本発明の第５の態様は、前記破砕刃部が、前記掻き上げ突起に所定の間隔を空けて複数個設けられていることを特徴とする。
【発明の効果】
【００１６】
本発明によれば、内胴分離槽の内壁に設けた掻き上げ突起によって使用済み衛生用品は、掻き上げられる際や、掻き上げられた後に掻き上げ突起から落下する際に破砕刃部によって破断されるので、破断されて小片化した使用済み衛生用品が処理液に充分に浸漬される。この場合、パンツ型の使用済み紙おむつであっても、破砕刃部によって破砕されるので、処理液を充分に浸漬させることができ、使用済み衛生用品を素材ごとに確実に分離することができる。
【図面の簡単な説明】
【００１７】
【図１】図１は、本発明に係る使用済み衛生用品の処理装置用分離機が用いられた使用済み衛生用品の処理装置を示す概略構成図。
【図２】図２は、本発明に係る使用済み衛生用品の処理装置用分離機を示す正面図。
【図３】図３は、本発明に係る使用済み衛生用品の処理装置用分離機の内胴分離槽に設けた掻き上げ突起を示す斜視図。
【図４】図４は、掻き上げ突起とこの掻き上げ突起に設けた破砕刃部を示し、図３の矢印Ａ方向から見た矢視図。
【発明を実施するための形態】
【００１８】
以下、本発明に係る使用済み衛生用品の処理装置（以下、「処理装置」という）用分離機（以下、「分離機」という）の実施の形態について図面を用いて説明する。本発明に係る分離機は、使用済み衛生用品としての使用済み紙おむつを、紙おむつを構成する複数種の素材と、使用済み紙おむつに吸収されている汚物とを分離し、分離した素材を回収する。
【００１９】
本実施の形態の形態において処理される衛生用品としての使用済み紙おむつは、表面材、漏れ防止のギャザー、吸水材、防水材、その他によって構成されている。表面材は、ポリエステルやポリプロピレンの不織布などが使用されている。漏れ防止ギャザーは不織布と伸縮素材が使用されている。吸水材は、吸水紙、綿状パルプ、高分子吸収材などの組み合わせで構成されている。防水材は、紙おむつの外側を覆う防水シートで合成繊維等からなる不織布が使用されている。その他に、紙おむつを止める粘着テープ、止着材等が使用されている。
【００２０】
本実施の形態において、素材とは、紙おむつの高分子吸収体、表面材、立体ギャザー等に用いられているプラスチック、吸水紙等に用いられているパルプ、粘着テープやゴム等のその他を意味する。また、本実施の形態において処理される使用済み紙おむつには、いわゆるテープ型の紙おむつ、パンツ型の紙おむつが含まれる。
【００２１】
また、本実施の形態における処理装置に用いられる処理水としての分解水は、分解剤としての石灰と、消毒剤（殺菌剤）としての次亜塩素酸と、水とを混合したものであり、処理する使用済み紙おむつの種類、処理する使用済み紙おむつの量によって、石灰、次亜塩素、水の配合量が設定されている。また、必要に応じて、洗浄剤や漂白剤等の添加剤を加えても良い。
【００２２】
なお、分解水として石灰と水とを混合したものを用い、消毒剤としての次亜塩素酸は、石灰と水とを混合した分解水とは別に処理装置に供給しても良い。本実施の形態では、分解剤としての石灰と、水と、消毒剤としての次亜塩素酸とを混合したものを分解水としている。以下、本実施の形態の分離機が用いられた処理装置について説明する。本実施の形態では、衛生用品として使用済紙おむつを処理する例について説明する。
【００２３】
［本実施の形態の分離機３の特徴］
本実施の形態における分離機３は、筐体５と、この筐体５に固定支持された外胴分離槽６と、外胴分離槽６内に回転可能に配置され外周面に外胴分離槽６と連通する複数の穴が設けられ内部に使用済み衛生用品が投入される内胴分離槽７と、内胴分離槽７内に投入された使用済み衛生用品に少なくとも水とカルシウム化合物と殺菌剤とからなる分解水を供給する分解水供給部８と、外胴分離槽６の下部側と連通され外胴分離槽６内の分解水とともに汚物を含む排水を排出する排出部４と、を備えている。
【００２４】
また、本実施の形態における分離機３の内胴分離槽７の内壁７ａには、内胴分離槽７内に投入された使用済み紙おむつ２を回転によって掻き上げる掻き上げ突起３９が、内胴分離槽７の回転軸方向に沿うとともに内胴分離槽７の回転軸方向に向かって突出して設けられ、この掻き上げ突起３９には、内胴分離槽７内に投入された使用済み衛生用品を破砕可能な破砕刃部４２が設けられている。
【００２５】
［処理装置］
図１は、分離機３が用いられた処理装置１の全体構成を示す。図１に示すように、処理装置１は、使用済み衛生用品としての使用済み紙おむつ２を紙おむつを構成する素材に分解する分離機３と、分離機３内の分解水とともに汚物を含む排水を外部へ排出する排出部４と、分離機３によって分離された素材が投入され乾燥させることで紙おむつを構成する少なくともパルプとプラスチックを選別する選別機２５とを備えている。
【００２６】
［分離機］
分離機３は、上記のように筐体５に固定された外胴分離槽６と、外胴分離槽６内に回転自在に配置された内胴分離槽７と、分解水供給部８と、分解水とともに汚物を含む排水を排出する排出部４とで構成されている。外胴分離槽６は、円筒状で、一方の端面に筐体５に設けた投入・取出口９に連通する開口部１０が形成され、他方の端面は閉塞されている。投入・取出口９が投入・取出扉１１によって閉じている状態では、外胴分離槽６は内部が密封されている。
【００２７】
内胴分離槽７は、外胴分離槽６の内径より小さい内径の円筒形状で、外周面（側面）全体に小径の穴が、パンチング等によって形成されている。内胴分離槽７６の一方の端面が筐体５の前面側に位置し、他方の端面が筐体５の後面側に位置している。内胴分離槽７の一方の端面側には、筐体５の投入・取出口９と連通する開口部１２が形成されている。内胴分離槽７の他方の端面側からは、回転駆動軸７ａが筐体５の後面側に向けて突出している。この回転駆動軸７ａには、図示しない駆動モータから回転駆動力が伝達され、内胴分離槽７が回転駆動する。この内胴分離槽７内には、投入・取出口９から使用済み紙おむつ２が投入される。
【００２８】
図２に示すように、内胴分離槽７の内壁７ｂには、内胴分離槽７内に投入された使用済み紙おむつ２を回転によって掻き上げる掻き上げ突起３９が、内胴分離槽７の回転軸方向に沿うとともに内胴分離槽７の回転軸方向に向かって突出して設けられている。この掻き上げ突起３９は、内胴分離槽７の周方向に等間隔で４カ所に設けられている。
【００２９】
掻き上げ突起３９は、図３、図４に示すように、内胴分離槽７の内壁７ｂから立ち上がる内胴分離槽７の回転方向の前方側の第１の掻き上げ面４０と、内胴分離槽７の内壁７ｂから立ち上がる内胴分離槽７の回転方向の後方側の第２の掻き上げ面４１とで形成されている。また、第１、第２の掻き上げ面４０、４１は、内胴分離槽７の回転軸に向けてそれぞれ延設されて先端側で連続しており、図４に示すように略三角形の断面形状に形成されている。この掻き上げ突起３９には、破砕刃部４２が設けられている。
【００３０】
破砕刃部４２は、内胴分離槽７の回転方向に向けて立ち上がる薄板状の刃部本体４３と、この刃部本体４３の内胴分離槽７の回転方向に向けて形成された複数の刃部４４とで形成されている。
【００３１】
なお、破砕刃部４２は、少なくとも第１の掻き上げ面４０、すなわち内胴分離槽７の回転方向の前方側に設ければ良く、複数の刃部４４は第１の掻き上げ面４０によって掻き上げられ内胴分離槽７の下面側へ落下する使用済み紙おむつ２を破断することが可能な方向に向けて鋭角状に形成されていれば良い。また、破砕刃部４２は、第１の掻き上げ面４０と第２の掻き上げ面４１にそれぞれ形成され、第１の掻き上げ面４０と第２の掻き上げ面４１に連続して形成されていても良い。さらに、破砕刃部４２を、掻き上げ突起３９に軸方向に沿って所定の間隔を空けて複数個設けても良い。
【００３２】
そして、使用済み紙おむつ２は、内胴分離槽７が回転することで掻き上げ突起３９の第１の掻き上げ面４０によって内胴分離槽７の上部に掻き上げられる。第１の掻き上げ面４０により内胴分離槽７の上部に掻き上げられた使用済み紙おむつ２は、内胴分離槽７の下部側へ落下する際に、破砕刃部４２の複数の刃部４４によって繰り返し破断されて破砕される。また、掻き上げ突起３９により使用済み紙おむつ２が掻き上げられる際にも使用済み紙おむつ２は破断されて破砕される。
【００３３】
この場合、いわゆるテープ型の使用済み紙おむつ２は、展開している状態で繰り返し破断されて小片化される。いわゆるパンツ型の使用済み紙おむつ２は、刃部４４によって繰り返し破断されることで、展開した状態となり、さらに刃部によって繰り返し破断されて小片化される。
【００３４】
使用済み紙おむつ２は、一般家庭や、病院、老人ホーム等から集積された後に、図１に示すように、計量コンベア１３によって計量されて所定量の重さの一塊とされる。この一塊とされた使用済み紙おむつ２が、投入機１４によって吊り下げられ、分離機３の前面側まで移動され、投入・取出口９から筐体５の内部、すなわち内胴分離槽７内に投入される。使用済み紙おむつ２が投入された内胴分離槽７内には、分解水供給部８によって分解水、洗剤が供給される。
【００３５】
分解水供給部８は、分解水タンク１５と、洗剤タンク１６と、分解水供給口１７と、供給ポンプ１８と、管路１９、２０とで構成されている。分解水タンク１５には、所定の割合に調合された分解水と水と殺菌剤とを混合した処理液としての分解水が貯留されている。この分解水は、ポンプ１８によって内胴分離槽７内の上部側から内胴分離槽７内に供給される。内胴分離槽７内に分解水が供給される際には、内胴分離槽７は、所定の回転数で回転している。
【００３６】
使用済み紙おむつ２が投入され、所定の回転数で回転駆動している状態で処理水が供給された内胴分離槽７内では、使用済み紙おむつ２が、紙おむつを構成する素材として、パルプ、高分子ポリマー、プラスチック、その他に分離され、加えて高分子ポリマーも分解されて内部から汚物（汚水）が分離される。内胴分離槽７内で使用済み紙おむつ２を分解処理した後の分解水（排液）は排出部４に排出される。このとき、分解水に溶けることのない固形物（溶けなかったパルプ、プラスチック）は内胴分離槽７内に残り、分解水に溶けたパルプや汚物（汚水）は、排出部４に排出される。
【００３７】
排出部４は、外胴分離槽６内の分解水が排出される排水受け槽２１と、排水を濾過して一旦貯留する排水ピット２２と、排水受け槽２１と排水ピット２２とを連通し排水を排水ピット２２に流す排水管２３とで構成されている。そして、排水受け槽２１内には、供給された分解水によって使用済み紙おむつ２から分解され、高分子ポリマーに含まれていた汚物（尿等の汚水）、付着していた汚物、パルプが混在した分解水が排出される。排水受け槽２１内に排水されたパルプを含む分解水は、排水管２３を通って排水ピット２２に貯留される。排水ピット２２に貯留された分解水中には、パルプが大量に含まれており、図示しないパルプ回収装置によってパルプが分解水と分離されて回収される。
【００３８】
分解水に溶けることがなく内胴分離槽７内に残った固形物（溶けなかったパルプ、プラスチック）は、内胴分離槽７への分解水の供給を停止した後に、内胴分離槽７を回転させることにより、パルプとプラスチックに残っていた水分が脱水される。この脱水によってパルプとプラスチックから取り出された分解水は排出部４に排出される。脱水後の固形物、すなわち分解水に溶けることのなかった固形物であるパルプとプラスチックは、投入・取出口９からコンベア２４によって選別機２５へと送られる。
【００３９】
選別機２５は、筐体２６内に固定、支持された外胴選別槽２７と、外胴選別槽２７内に回転可能に配置された内胴選別槽２８と、外胴選別槽２７の下部に設けられた取出搬送部２９と、筐体２６の上部に配置されて外胴選別槽２７内に乾燥風を供給する乾燥風供給部３０とで構成されている。
【００４０】
外胴選別槽２７は、円筒形状で一方の端面が筐体２６の一面側の内面に密着され、他方の端面側が筐体２６の他面側の内面に密着された状態で筐体２６に固定されている。一方の端面には、筐体２６の投入口３１に連通する投入側の開口部が形成され、他方の端面には、筐体２６の取出口３２に連通する取出側の開口部が形成されている。この外胴選別槽２７内には、乾燥風供給部３０から乾燥風が導入され、内胴選別槽２８内のパルプとプラスチックとが乾燥される。
【００４１】
内胴選別槽２８は、外胴選別槽２７より若干小径の円筒形状で、軸方向の両端面は開口され、外胴選別槽２７の両端の開口部とそれぞれ連通されている。また、内胴選別槽２８は、周方向の側面にパンチング等によって形成された複数の貫通穴が全体的に形成されている。そして、外胴選別槽２７内に乾燥風供給部３０から導入された乾燥風によって回転する内胴選別槽２８内のパルプとプラスチックが乾燥される。
【００４２】
乾燥風供給部３０は、ヒータ３３と、ファン３４と、乾燥風導入路３５と、乾燥風排出路３６とで構成されている。ヒータ３３は、複数の熱交換用のパイプで形成され、このパイプには高温の蒸気が供給されている。パイプの周囲を外気が通過することによって外気が加熱されて乾燥風が生成され、この乾燥風が乾燥風導入路３５によって外胴選別槽２７内に送り込まれる。ファン３４は、外胴選別槽２７内の乾燥風を乾燥風排出路３６を通して吸い出してダクト３７内へ送風する。ダクト３７には、バグフィルタを有するパルプ回収装置３８に接続されている。ファン３４が、外胴選別槽２７内から乾燥風を排出（吸い出す）することにより、ヒータ３３に外気が導入され、ヒータ３３によって外気が加熱されることにより乾燥風が生成されて、外胴選別槽２７内に供給される。
【００４３】
これにより、回転する内胴選別槽２８内のパルプとプラスチックとから水分が蒸発しパルプとプラスチックが乾燥されて選別される。また、ファン３４によって外胴選別槽２７内から吸い出された乾燥風は、ダクト３７を介してパルプ回収装置３８に送られ、バグフィルタによって乾燥風に含まれるパルプが回収される。
【００４４】
パルプとプラスチックとが乾燥されると、パルプとプラスチックは分離されて選別される。選別されたパルプとプラスチックのうちパルプは、取出搬送部２９によって外部に取り出され、プラスチックは、取出口３２から外部に取り出される。
【００４５】
次に、分離機３による使用済み紙おむつ２の処理について説明する。内胴分離槽７内に所定の重量の使用済み紙おむつ２を投入した後に、処理液を分解水供給部８によって内胴分離槽７内に供給するとともに、内胴分離槽７を所定の回転数で回転させる。使用済み紙おむつ２が投入された内胴分離槽７を回転させながら、処理液を上部から内胴分離槽７内に供給すると、内胴分離槽７の回転により使用済み紙おむつ２が掻き上げ突起３９によって内胴分離槽７内の下部側から上部側へ掻き上げられる。
【００４６】
掻き上げ突起３９により内胴分離槽７内の上部側へ掻き上げられた使用済み紙おむつ２は、掻き上げ突起３９が上部側へ移動すると内胴分離槽７内の下部側へ落下する。使用済み紙おむつ２が内胴分離槽７内の下部側へ落下する際に、使用済み紙おむつ２は、破砕刃部４２の刃部４４によって切断され小片化される。また、掻き上げ突起３９により使用済み紙おむつ２が掻き上げられる際にも切断され小片化される。繰り返し破砕刃部４２の刃部４４によって切断され小片化された使用済み紙おむつ２には、分解水が染み込む。分解水は、内胴分離槽７の上部から供給される。
【００４７】
分解水が小片化された使用済み紙おむつ２に染み込まれると、小片化された使用済み紙おむつ２は、紙おむつを構成する素材、すなわちパルプ、吸水材、プラスチック、その他に分解される。この場合、パンツ型の使用済み紙おむつ２が、既に展開状態のテープ型の使用済み紙おむつ２と混在しているが、パンツ型の使用済み紙おむつ２は、掻き上げ突起３９によって掻き上げられ、落下する際に繰り返し破断されることで展開状態となり、テープ型の使用済み紙おむつ２と同様に小片化される。
【００４８】
以上説明したように、本実施の形態に係る使用済み衛生用品の処理装置用分離機３によれば、内胴分離槽７の内壁７ｂに設けた掻き上げ突起３９によって掻き上げられた使用済み紙おむつ２は、落下する際に破砕刃部４２によって破砕されるので、破砕されて小片化した使用済み紙おむつ２に処理液としての分解水が充分に染み込み、分解水に浸漬される。この場合、パンツ型の使用済み紙おむつ２であっても、破砕刃部４２によって破砕されるので、処理液を充分に浸漬させることができ、使用済み紙おむつ２を素材ごとに確実に分離することができる。
【００４９】
また、内胴分離槽７の内壁の掻き上げ突起３９に、破砕刃部４２を設けて使用済み紙おむつ２を小片化することにより処理液に素早く使用済み紙おむつ２を浸漬させることができるので、使用済み衛生用品の処理時間を短縮することが可能となる。
【００５０】
さらに、内胴分離槽７の内壁７ｂの掻き上げ突起３９に、破砕刃部４２を設けて使用済み紙おむつ２を小片化することにより処理液に素早く使用済み紙おむつ２を浸漬させることができるので、処理液によって吸水材（高分子ポリマー）に吸収されている汚水（尿等）を外部に素早く出すことができる。これにより、吸水材から出た水分を用いて使用済み紙おむつ２を分解することができるので、大量の水を用いる必要がなくなり、排液の量も低減することが可能となる。
【００５１】
なお、上記の実施形態では、使用済み衛生用品として使用済み紙おむつ２を例にとって説明したが、尿取りパッド等の吸水材（高分子ポリマー）を使用する衛生用品を処理する場合にも、本発明の分離機３を用いることができる。
【００５２】
また、上記実施の形態では、破砕刃部４２は、薄板状の刃部本体４３に複数の刃部４４を形成しているが、刃部本体４３は薄板状でなくとも良く、刃部４４は刃部本体４３に複数設けられたものでなくても良い。
【００５３】
上述の通り、本発明の実施の形態を開示したが、当業者によって本発明の範囲を逸脱することなく変更が加えられうることは明白である。すべてのこのような修正及び等価物が請求項に含まれることが意図されている。
【産業上の利用可能性】
【００５４】
本発明に係る使用済み衛生用品の処理装置用分離機は、使用済み紙おむつの処理以外に、高分子ポリマー等によって尿等の汚物を吸収させる衛生用品、例えば生理用ナプキン、尿取りパッド等を処理する際にも利用可能である。
【符号の説明】
【００５５】
１  使用済み衛生用品の処理装置
２  使用済み紙おむつ
３  分離機
４  排出部
５  筐体
６  外胴分離槽
７  内胴分離槽
７ｂ  内壁
８  分解水供給部
３９  掻き上げ突起
４２  破砕刃部
【図１】
2020099839.tif 000003
【図２】
2020099839.tif 000004
【図３】
2020099839.tif 000005
【図４】
2020099839.tif 000006
【手続補正書】
【提出日】平成31年4月18日(2019.4.18)
【手続補正１】
【補正対象書類名】特許請求の範囲
【補正対象項目名】請求項１
【補正方法】変更
【補正の内容】
【請求項１】
使用済み衛生用品（２）を、衛生用品を構成する複数種の素材に分離するとともに、使用済み衛生用品（２）内の汚物を分離する使用済み衛生用品の処理装置用分離機（３）であって、
筐体（５）と、
この筐体（５）に固定支持された外胴分離槽（６）と、
前記外胴分離槽（６）内に回転可能に配置され外周面に前記外胴分離槽（６）と連通する複数の穴が設けられ内部に使用済み衛生用品が投入される内胴分離槽（７）と、
前記内胴分離槽（７）内に投入された使用済み衛生用品（２）に少なくとも水とカルシウム化合物と殺菌剤とからなる分解水を供給する分解水供給部（８）と、
前記外胴分離槽（６）の下部側と連通され前記外胴分離槽（６）内の前記分解水とともに前記汚物を含む排水を排出する排出部（４）と、を備え、
前記内胴分離槽（７）の内壁（７ｂ）には、前記内胴分離槽（７）内に投入された前記使用済み衛生用品（２）を回転によって掻き上げる掻き上げ突起（３９）が、前記内胴分離槽（７）の回転軸方向に沿うとともに前記内胴分離槽（７）の回転軸方向に向かって突出して設けられ、
前記掻き上げ突起（３９）には、内胴分離槽（７）内に投入された前記使用済み衛生用品（２）を破砕可能な破砕刃部（４２）が設けられていることを特徴とする使用済み衛生用品の処理装置用分離機（３）。